(57)【要約】【課題】手摺ガイドレールに対する欄干照明装置の位置決めを行う作業効率を向上させることができる乗客コンベヤ欄干手摺照明装置取付治具を得る。【解決手段】手摺ガイドレール２に上下方向に貫通して形成された取付孔２３１に貫通可能に形成され、欄干照明装置４と係合する係合部材９と、取付孔２３１に挿入可能に形成され、係合部材９を支持する支持部材１０とを備え、係合部材９が上方から取付孔２３１を貫通するように支持部材１０が上方から取付孔２３１に挿入され、取付孔２３１を貫通した係合部材９と欄干照明装置４とが係合した状態で、支持部材１０が取付孔２３１から引き抜かれる方向に支持部材１０が移動することによって、手摺ガイドレール２に対する欄干照明装置４の位置決めがされる。【選択図】図３
2014118296.tif 000002
【特許請求の範囲】
【請求項１】
欄干照明装置を手摺ガイドレールに取り付ける際に用いられる乗客コンベヤ欄干照明装置取付用治具であって、
前記手摺ガイドレールに上下方向に貫通して形成された取付孔に貫通可能に形成され、前記欄干照明装置と係合する係合部材と、
前記取付孔に挿入可能に形成され、前記係合部を支持する支持部材と
を備え、
前記係合部材が上方から前記取付孔を貫通するように前記支持部材が上方から前記取付孔に挿入され、前記取付孔を貫通した前記係合部材と前記欄干照明装置とが係合した状態で、前記支持部材が前記取付孔から引き抜かれる方向に前記支持部材が移動することによって、前記手摺ガイドレールに対する前記欄干照明装置の位置決めがされることを特徴とする乗客コンベヤ欄干照明装置取付用治具。
【請求項２】
前記支持部材に設けられ、前記手摺ガイドレールに対する前記支持部材の下方への移動を規制する移動規制部材をさらに備えたことを特徴とする請求項１に記載の乗客コンベヤ欄干照明装置取付用治具。
【請求項３】
前記支持部材は、可撓性を有する線状部材を有していることを特徴とする請求項１または請求項２に記載の乗客コンベヤ欄干照明装置取付用治具。
【請求項４】
前記係合部材は、前記線状部材に対して前記線状部材の周方向に回転可能となっていることを特徴とする請求項３に記載の乗客コンベヤ欄干照明装置取付用治具。
【請求項５】
手摺ガイドレールに上下方向に貫通して形成された取付孔に貫通可能に形成され、欄干照明装置と係合する係合部材と、前記取付孔に挿入可能に形成され、前記係合部材を支持する支持部材とを備えた乗客コンベヤ欄干照明装置取付用治具を用いて、前記手摺ガイドレールに対する前記欄干照明装置の位置決めを行う乗客コンベヤ欄干照明装置位置決め方法であって、
前記係合部材が上方から前記取付孔を貫通するように前記支持部材を上方から前記取付孔に挿入する挿入工程と、
前記挿入工程の後、前記係合部材と前記欄干照明装置とを係合する係合工程と、
前記係合工程の後、前記取付孔から前記支持部材が引き抜かれる方向に前記支持部材を移動させることによって、前記手摺ガイドレールに対する前記欄干照明装置の位置決めを行う引抜工程と
を備えたことを特徴とする乗客コンベヤ欄干照明装置位置決め方法。
【発明の詳細な説明】
【技術分野】
【０００１】
この発明は、欄干照明装置を手摺ガイドレールに取り付ける際に用いられる乗客コンベヤ欄干照明装置取付用治具およびこの乗客コンベヤ欄干照明装置取付用治具を用いて手摺ガイドレールに対する欄干照明装置の位置決めを行う乗客コンベヤ欄干照明装置位置決め方法に関する。
【背景技術】
【０００２】
従来、上階側階床と下階側階床との間に渡って設けられた欄干と、欄干に支持された手摺ガイドレールと、欄干よりも幅方向外側であって手摺ガイドレールよりも下方から、手摺ガイドレールに取り付けられる欄干照明装置とを備えたエスカレータ欄干装置が知られている。手摺ガイドレールには、上下方向に貫通した取付孔が形成されている。欄干照明装置は、取付孔に上方から挿入されたボルトに係合されることによって、手摺ガイドレールに取り付けられる（例えば、特許文献１参照）。
【先行技術文献】
【特許文献】
【０００３】
【特許文献１】特開２０１１−１１６４９８号公報
【発明の概要】
【発明が解決しようとする課題】
【０００４】
しかしながら、手摺ガイドレールは、欄干から幅方向外側に向かって延びるように配置されているので、手摺ガイドレールに対する欄干照明装置の位置決めを行うためには、作業者は、手摺ガイドレールよりも幅方向外側であって、手摺ガイドレールよりも下方から欄干照明装置および手摺ガイドレールを目視しながら、手摺ガイドレールの取付孔の位置と欄干照明装置のねじ穴の位置とを合わせなければならず、手摺ガイドレールに対する欄干照明装置の位置決めを行う作業効率が悪いという問題点があった。
【０００５】
この発明は、手摺ガイドレールに対する欄干照明装置の位置決めを行う作業効率を向上させることができる乗客コンベヤ欄干照明装置取付用治具および乗客コンベヤ欄干手摺装置位置決め方法を提供するものである。
【課題を解決するための手段】
【０００６】
この発明に係る乗客コンベヤ欄干照明装置取付用治具は、欄干照明装置を手摺ガイドレールに取り付ける際に用いられる乗客コンベヤ欄干照明装置取付用治具であって、手摺ガイドレールに上下方向に貫通して形成された取付孔に貫通可能に形成され、欄干照明装置と係合する係合部材と、欄干照明装置の取付孔に挿入可能に形成され、係合部材を支持する支持部材とを備え、係合部材が上方から取付孔を貫通するように支持部材が上方から取付孔に挿入され、取付孔を貫通した係合部材と欄干照明装置とが係合した状態で、支持部材が取付孔から引き抜かれる方向に支持部材が移動することによって、手摺ガイドレールに対する欄干照明装置の位置決めがされる。
【発明の効果】
【０００７】
この発明に係る乗客コンベヤ欄干照明装置取付用治具によれば、手摺ガイドレールに上下方向に貫通して形成された取付孔に貫通可能に形成され、欄干照明装置と係合する係合部材と、欄干照明装置の取付孔に挿入可能に形成され、係合部材を支持する支持部材とを備え、係合部材が上方から取付孔を貫通するように支持部材が上方から取付孔に挿入され、取付孔を貫通した係合部材と欄干照明装置とが係合した状態で、支持部材が取付孔から引き抜かれる方向に支持部材が移動することによって、手摺ガイドレールに対する欄干照明装置の位置決めがされるので、作業者は、手摺ガイドレールに対する欄干照明装置の位置決めを行う際に、手摺ガイドレールよりも幅方向外側であって手摺ガイドレールよりも下方から欄干照明装置および手摺ガイドレールを目視する必要がなくなる。その結果、手摺ガイドレールに対する欄干照明装置の位置決めの作業効率を向上させることができる。
【図面の簡単な説明】
【０００８】
【図１】この発明の実施の形態１に係るエスカレータ欄干装置を示す断面図である。
【図２】図１の欄干照明装置を手摺ガイドレールに取り付ける際に用いられるエスカレータ欄干照明装置取付用治具を示す正面図である。
【図３】図１の取付孔に図２の支持部材を挿入する様子を示す正面図である。
【図４】図３の係合部材と欄干照明装置とが係合した状態を示す正面図である。
【図５】図４のエスカレータ欄干照明装置取付用治具および欄干照明装置を示す側面図である。
【図６】図４の支持部材を上方向に移動させた状態を示す正面図である。
【図７】図６のエスカレータ欄干照明装置取付用治具および欄干照明装置を示す側面図である。
【図８】図６の係合部材と欄干照明装置との係合が解除された状態を示す正面図である。
【図９】この発明の実施の形態２に係るエスカレータ欄干照明装置取付用治具を示す正面図である。
【図１０】図９のねじ棒およびスリーブを示す拡大図である。
【図１１】図１の取付孔に図９の支持部材を挿入する様子を示す正面図である。
【図１２】図１１のねじ棒と欄干照明装置とが係合した状態を示す正面図である。
【図１３】図１２のエスカレータ欄干照明装置取付用治具および欄干照明装置を示す側面図である。
【図１４】図１２の支持部材を上方向に移動させた状態を示す正面図である。
【図１５】図１４のねじ棒と欄干照明装置との係合が解除された状態を示す正面図である。
【図１６】図１５の固定部材に手摺案内部が取り付けられ、手摺案内部に移動手摺が取り付けられた状態を示す正面図である。
【図１７】図１０の支持部材の変形例を示す正面図である。
【発明を実施するための形態】
【０００９】
以下、この発明の各実施の形態を図に基づいて説明するが、各図において、同一または相当の部材、部位については、同一符号を付して説明する。
【００１０】
実施の形態１．
図１はこの発明の実施の形態１に係るエスカレータ欄干装置を示す断面図である。図において、エスカレータ欄干装置は、上階側階床（図示せず）と下階側階床（図示せず）との間に渡って設けられた欄干１と、欄干１に支持された手摺ガイドレール２と、手摺ガイドレール２に案内されながら循環移動する移動手摺３と、手摺ガイドレール２よりも下方に設けられた欄干照明装置４と、手摺ガイドレール２に設けられ、欄干照明装置４と係合することによって、欄干照明装置４が手摺ガイドレール２に取り付けられるボルト５と、欄干照明装置４よりも下方に設けられた照明カバー６と、手摺ガイドレール２に設けられ、照明カバー６を支持する照明カバー押さえ部材７と、手摺ガイドレール２と係合することによって、照明カバー押さえ部材７が手摺ガイドレール２に固定されるボルト８とを備えている。
【００１１】
手摺ガイドレール２は、欄干１から幅方向外側に向かって延びるように配置されている。ここで、幅方向とは、踏段（図示せず）についての幅方向と同一の方向Ａである。手摺ガイドレール２は、欄干１の上部に固定される固定部材２１と、固定部材２１の上部に取り付けられる手摺案内部２２とを有している。固定部材２１は、欄干照明装置４が取り付けられる取付部２３を含んでいる。
【００１２】
固定部材２１には、欄干１の上端部に挿入される挿入溝２１１が形成されている。挿入溝２１１に欄干１の上端部が挿入されることによって、手摺ガイドレール２が欄干１に取り付けられる。
【００１３】
手摺案内部２２は、移動手摺３の内側に配置されている。手摺案内部２２は、取付部２３よりも上方に配置されている。移動手摺３は、手摺案内部２２を摺動しながら循環移動する。
【００１４】
取付部２３には、上下方向に延びた取付孔２３１が形成されている。取付孔２３１には、ボルト５が上方から挿入されている。
【００１５】
欄干照明装置４は、照明部材４１と、照明部材４１を保持する複数のブラケット４２とを有している。照明部材４１は、一方向に延びた基板と、この基板に実装される複数のＬＥＤとから構成されている。ＬＥＤは、基板の長手方向に等間隔に並べて配置されている。なお、照明部材４１は、これに限らず、蛍光灯などの発光する部材であればよい。
【００１６】
ブラケット４２は、照明部材４１の長手方向に等間隔に並べて配置されている。ブラケット４２の上部には、ボルト５が挿入されるねじ穴４２１が形成されている。ねじ穴４２１の内周面には、雌型のねじ溝が形成されている。ボルト５の外周面には、雄型のねじ溝が形成されている。ボルト５がねじ穴４２１に挿入されることによって、ボルト５がブラケット４２と係合する。
【００１７】
図２は図１の欄干照明装置４を手摺ガイドレール２に取り付ける際に用いられるエスカレータ欄干照明装置取付用治具を示す正面図である。図において、エスカレータ欄干照明装置取付用治具（乗客コンベヤ欄干照明装置取付用治具）は、欄干照明装置４（図１）と係合する係合部材９と、係合部材９を支持する支持部材１０と、支持部材１０に設けられた柄部材（移動規制部材）１１とを備えている。
【００１８】
係合部材９は、軸形状に形成されている。係合部材９の径方向の寸法は、取付孔２３１（図１）の直径よりも小さい寸法となっている。つまり、係合部材９は、取付孔２３１に貫通可能となっている。また、係合部材９は、ねじ穴４２１（図１）に挿入可能となっている。係合部材９の外周面には、雄型のねじ溝が形成されている。係合部材９がねじ穴４２１に挿入されることによって、係合部材９がブラケット４２と係合する。
【００１９】
支持部材１０は、軸形状に形成されている。支持部材１０の径方向の寸法は、取付孔２３１の直径よりも小さい寸法となっている。つまり、支持部材１０は、取付孔２３１に挿入可能となっている。係合部材９は、支持部材１０の先端部に固定されている。係合部材９は、係合部材９の軸線が支持部材１０の軸線と同一直線上に配置されるように、支持部材１０に設けられている。したがって、支持部材１０が支持部材１０の軸線を中心に周方向に回転することによって、係合部材９が係合部材９の軸線を中心に周方向に回転する。
【００２０】
柄部材１１は、軸形状に形成されている。柄部材１１の径方向の寸法は、取付孔２３１の直径よりも大きい寸法となっている。これにより、柄部材１１は、取付孔２３１に挿入されることが防止される。柄部材１１は、支持部材１０の基端部に固定されている。柄部材１１は、柄部材１１の軸線が支持部材１０の軸線と同一直線上に配置されるように、支持部材１０に設けられている。したがって、柄部材１１が支持部材１０の軸線を中心に周方向に回転することによって、支持部材１０が支持部材１０の軸線を中心に周方向に回転する。また、柄部材１１は、取付部２３（図１）に対する支持部材１０の下方への移動を規制する移動規制部材となっている。したがって、支持部材１０は、取付孔２３１を貫通することが防止される。
【００２１】
次に、エスカレータ欄干照明装置取付用治具を用いて欄干照明装置４を手摺ガイドレール２に取り付ける作業について説明する。図３は図１の取付孔２３１に図２の支持部材１０を挿入する様子を示す正面図である。まず、欄干照明装置４のブラケット４２の数に対応する数のエスカレータ欄干照明装置取付用治具のそれぞれの支持部材１０を、係合部材９が上方から取付孔２３１を貫通するように、上方から取付孔２３１に挿入する（挿入工程）。
【００２２】
図４は図３の係合部材９と欄干照明装置４とが係合した状態を示す正面図、図５は図４のエスカレータ欄干照明装置取付用治具および欄干照明装置４を示す側面図である。支持部材１０を取付孔２３１に挿入した後、それぞれの係合部材９と欄干照明装置４とを係合させる（係合工程）。
【００２３】
図６は図４の支持部材１０を上方向に移動させた状態を示す正面図、図７は図６のエスカレータ欄干照明装置取付用治具および欄干照明装置４を示す側面図である。係合部材９と欄干照明装置４とを係合させた後、取付孔２３１から支持部材１０が引き抜かれる方向Ｂ、つまり、上方向に支持部材１０を移動させることによって、手摺ガイドレール２に対する欄干照明装置４の位置決めがされる（引抜工程）。
【００２４】
図８は図６の係合部材９と欄干照明装置４との係合が解除された状態を示す正面図である。手摺ガイドレール２に対する欄干照明装置４の位置決めがされた後、作業者の手で欄干照明装置４の位置を維持させた状態で、係合部材９と欄干照明装置４との係合を解除して、係合部材９および支持部材１０を取付孔２３１から引き抜く。その後、ボルト５を上方から取付孔２３１に挿入して、ボルト５と欄干照明装置４とを係合させる。これにより、欄干照明装置４が手摺ガイドレール２に取り付けられる。その後、図１に示すように、照明カバー押さえ部材７およびボルト８を用いて照明カバー６を手摺ガイドレール２に取り付ける。また、手摺案内部２２を上方から固定部材２１に取り付けて、さらに、移動手摺３を手摺案内部２２に取り付ける。以上により、欄干照明装置４を手摺ガイドレール２に取り付ける作業が終了する。
【００２５】
以上説明したように、この発明の実施の形態１に係るエスカレータ欄干照明装置取付用治具によれば、手摺ガイドレール２に上下方向に貫通して形成された取付孔２３１に貫通可能に形成され、欄干照明装置４と係合する係合部材９と、取付孔２３１に挿入可能に形成され、係合部材９を支持する支持部材１０とを備え、係合部材９が上方から取付孔２３１を貫通するように支持部材１０が上方から取付孔２３１に挿入され、取付孔２３１を貫通した係合部材９と欄干照明装置４とが係合した状態で、支持部材１０が取付孔２３１から引き抜かれる方向に支持部材１０が移動することによって、手摺ガイドレール２に対する欄干照明装置４の位置決めがされるので、作業者は、手摺ガイドレール２に対する欄干照明装置４の位置決めを行う際に、手摺ガイドレール２よりも幅方向外側であって手摺ガイドレール２よりも下方から欄干照明装置４および手摺ガイドレール２を目視する必要がなくなる。その結果、手摺ガイドレール２に対する欄干照明装置４の位置決めの作業効率を向上させることができる。
【００２６】
また、エスカレータ欄干照明装置取付用治具は、支持部材１０に設けられ手摺ガイドレール２に対する支持部材１０の下方への移動を規制する柄部材１１を備えているので、支持部材１０を取付孔２３１に挿入する場合に、支持部材１０が取付孔２３１を貫通して落下することを防止することができる。
【００２７】
また、この発明に係るエスカレータ欄干照明装置取付方法（乗客コンベヤ欄干照明装置取付方法）によれば、係合部材９が上方から取付孔２３１を貫通するように支持部材１０を上方から取付孔２３１に挿入する挿入工程と、挿入工程の後、係合部材９と欄干照明装置４とを係合する係合工程と、係合工程の後、取付孔２３１から支持部材１０が引き抜かれる方向に支持部材１０を移動させることによって、手摺ガイドレール２に対する欄干照明装置４の位置決めを行う引抜工程とを備えているので、作業者は、手摺ガイドレール２に対する欄干照明装置４の位置決めを行う際に、手摺ガイドレール２よりも幅方向外側であって手摺ガイドレール２よりも下方から欄干照明装置４および手摺ガイドレール２を目視する必要がなくなる。その結果、手摺ガイドレール２に対する欄干照明装置４の位置決めの作業効率を向上させることができる。
【００２８】
なお、上記実施の形態１では、係合部材として、外周面に雄型のねじ溝が形成された係合部材９を例に説明したが、ブラケット４２の上部にねじ部を設け、このねじ部と係合するナットなどの係合部材であってもよい。
【００２９】
実施の形態２．
図９はこの発明の実施の形態２に係るエスカレータ欄干照明装置取付用治具を示す正面図である。図において、エスカレータ欄干照明装置取付用治具は、欄干照明装置４（図１）と係合するねじ棒（係合部材）１２と、ねじ棒１２を支持する支持部材１３と、支持部材１３に設けられた座金（移動規制部材）１４とを備えている。支持部材１３は、可撓性を有するワイヤ（線状部材）１３１と、ワイヤ１３１の一端部に設けられ、ねじ棒１２を保持するスリーブ１３２と、ワイヤ１３１の他端部に設けられたスリーブ１３３と、スリーブ１３３に保持されたねじ棒１３４と、ねじ棒１３４に設けられた取手部材１３５と、取手部材１３５をねじ棒１３４に固定するナット１３６とを備えている。座金１４は、ワイヤ１３１に取り付けられている。
【００３０】
図１０は図９のねじ棒１２およびスリーブ１３２を示す拡大図である。ねじ棒１２は、円柱形状に形成されている。ねじ棒１２の外周面には、雄型のねじ溝が形成されている。スリーブ１３２は、スリーブ１３２の内側にワイヤ１３１の一端部が挿入された状態でかしめられることによって、ワイヤ１３１に取り付けられている。スリーブ１３２の内周面には、雌型のねじ溝が形成されている。ねじ棒１２がスリーブ１３２に挿入されることにより、ねじ棒１２がスリーブ１３２に係合される。
【００３１】
ねじ棒１２の径方向の寸法は、取付孔２３１（図１）の直径よりも小さい寸法となっている。つまり、ねじ棒１２は、取付孔２３１に貫通可能となっている。スリーブ１３２およびワイヤ１３１の径方向の寸法も、取付孔２３１（図１）の直径よりも小さい寸法となっている。つまり、スリーブ１３２およびワイヤ１３１は、取付孔２３１に挿入可能となっている。
【００３２】
ねじ棒１３４（図９）およびスリーブ１３３（図９）は、ねじ棒１２およびスリーブ１３２と同様の構成となっている。
【００３３】
図９に示すように、座金１４には、ワイヤ１３１およびスリーブ１３２が挿入される貫通孔（図示せず）が形成されている。座金１４は、この貫通孔に挿入されるワイヤ１３１またはスリーブ１３２と係合してこの貫通孔に対するワイヤ１３１またはスリーブ１３２の移動を規制する板ばねから構成される係止部（図示せず）を有している。座金１４は、この係止部とワイヤ１３１またはスリーブ１３２との間の係合状態を作業者が適宜解放することによって、ワイヤ１３１またはスリーブ１３２に対して、ワイヤ１３１またはスリーブ１３２の長手方向に移動可能となっている。
【００３４】
取手部材１３５には、ねじ棒１３４が挿入される貫通孔（図示せず）が形成されている。取手部材１３５は、スリーブ１３３とナット１３６とに挟まれることによって、ねじ棒１３４に固定される。
【００３５】
次に、エスカレータ欄干照明装置取付用治具を用いて欄干照明装置４を手摺ガイドレール２に取り付ける作業について説明する。図１１は図１の取付孔２３１に図９の支持部材１３を挿入する様子を示す正面図である。この例では、欄干照明装置４は、照明部材４１を下方から覆う照明カバー４３を有している。まず、欄干照明装置４のブラケット４２の数に対応する数のエスカレータ欄干照明装置取付用治具のそれぞれの支持部材１３を、ねじ棒１２が上方から取付孔２３１を貫通するように、上方から取付孔２３１に挿入する（挿入工程）。ワイヤ１３１は可撓性を有しているので、ねじ棒１２は、手摺ガイドレール２から下方へ所定距離Ｒだけ下がった位置であって、手摺ガイドレール２から幅方向外側へ所定距離Ｑだけ離れた位置まで変位可能となっている。なお、この例では、ワイヤ１３１は、上方から取付孔２３１を貫通したねじ棒１２が手摺ガイドレール２よりも上方に位置するように変形することが可能となっている。
【００３６】
図１２は図１１のねじ棒１２と欄干照明装置４とが係合した状態を示す正面図、図１３は図１２のエスカレータ欄干照明装置取付用治具および欄干照明装置４を示す側面図である。支持部材１３を取付孔２３１に挿入した後、それぞれのねじ棒１２と欄干照明装置４とを係合させる（係合工程）。
【００３７】
図１４は図１２の支持部材１３を上方向に移動させた状態を示す正面図である。ねじ棒１２と欄干照明装置４とを係合させた後、取付孔２３１から支持部材１３が引き抜かれる方向Ｂ、つまり、上方向に支持部材１３を移動させることによって、手摺ガイドレール２に対する欄干照明装置４の位置決めがされる（引抜工程）。このとき、座金１４の係止部をスリーブ１３２に係合させることによって、位置決めされた欄干照明装置４が他の位置に移動することを規制する。
【００３８】
図１５は図１４のねじ棒１２と欄干照明装置４との係合が解除された状態を示す正面図である。手摺ガイドレール２に対する欄干照明装置４の位置決めがされた後、作業者の手で欄干照明装置４の位置を維持させた状態で、ねじ棒１２と欄干照明装置４との係合を解除して、ねじ棒１２および支持部材１３を取付孔２３１から引き抜く。その後、ボルト５を上方から取付孔２３１に挿入して、ボルト５と欄干照明装置４とを係合させる。これにより、欄干照明装置４が手摺ガイドレール２に取り付けられる。
【００３９】
図１６は図１５の固定部材２１に手摺案内部２２が取り付けられ、手摺案内部２２に移動手摺３が取り付けられた状態を示す正面図である。欄干照明装置４を手摺ガイドレール２に取り付けた後、手摺案内部２２を上方から固定部材２１に取り付ける。さらに、移動手摺３を手摺案内部２２に取り付ける。以上により、欄干照明装置４を手摺ガイドレール２に取り付ける作業が終了する。
【００４０】
以上説明したように、この発明の実施の形態２に係るエスカレータ欄干照明装置取付治具によれば、支持部材１３は、可撓性を有するワイヤ１３１を有しているので、作業者が目視しやすい位置にねじ棒１２を移動させることができる。これにより、ねじ棒１２の欄干照明装置４への係合を容易に行うことができる。
【００４１】
なお、上記実施の形態２では、スリーブ１３２の内側にワイヤ１３１の一端部が挿入された状態でかしめられることによって、ワイヤ１３１にスリーブ１３２が取り付けられる構成について説明したが、図１７に示すように、ワイヤ１３１の一端部を球状に形成し、スリーブ１３２がワイヤ１３１に対して周方向に回転可能となる構成であってもよい。これにより、ねじ棒１２は、ワイヤ１３１に対して、ワイヤ１３１の周方向に回転可能となるので、ねじ棒１２と欄干照明装置４とを係合させる際に、ワイヤ１３１にねじれが発生することを防止することができる。その結果、ねじ棒１２と欄干照明装置４との係合を容易に行うことができる。
【００４２】
また、上記実施の形態２では、係合部材として、外周面に雄型のねじ溝が形成されたねじ棒１２を例に説明したが、ブラケット４２の上部にねじ部を設け、このねじ部と係合するナットなどの係合部材であってもよい。
【００４３】
また、各上記実施の形態では、乗客コンベヤ欄干照明装置取付用治具として、エスカレータ欄干照明装置取付用治具を例に説明したが、動く歩道欄干照明装置取付用治具であってもよい。
【符号の説明】
【００４４】
１  欄干、２  手摺ガイドレール、３  移動手摺、４  欄干照明装置、５  ボルト、６  照明カバー、７  照明カバー押え部材、８  ボルト、９  係合部材、１０  支持部材、１１  柄部材（移動規制部材）、１２  ねじ棒、１３  支持部材、１４  座金、２１  固定部材、２２  手摺案内部、２３  取付部、４１  照明部材、４２  ブラケット、４３  照明カバー、１３１  ワイヤ（線状部材）、１３２  スリーブ、１３３  スリーブ、１３４  ねじ棒、１３５  取手部材、１３６  ナット、２１１  挿入溝、２３１  取付孔、４２１  ねじ穴。
【図１】
2014118296.tif 000003
【図２】
2014118296.tif 000004
【図３】
2014118296.tif 000005
【図４】
2014118296.tif 000006
【図５】
2014118296.tif 000007
【図６】
2014118296.tif 000008
【図７】
2014118296.tif 000009
【図８】
2014118296.tif 000010
【図９】
2014118296.tif 000011
【図１０】
2014118296.tif 000012
【図１１】
2014118296.tif 000013
【図１２】
2014118296.tif 000014
【図１３】
2014118296.tif 000015
【図１４】
2014118296.tif 000016
【図１５】
2014118296.tif 000017
【図１６】
2014118296.tif 000018
【図１７】
2014118296.tif 000019